Podtech/llm-jp-corpus-v4-ja_patent huggingface dataset:
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
薬剤溶出性ステント(DES)で処理された個体における、P2Y12アンタゴニストによる血小板反応性の阻害を評価する方法であって、
(a)DES及びP2Y12アンタゴニストで処理された個体から、血小板含有血液サンプルを準備する工程；
(b)表面に固定されたGPIIb/IIIa受容体リガンドを含有する粒子、アデノシン二リン酸(ADP)、及び、プロスタグランジンE1(PGE1)と、前記血小板含有血液サンプルとを、
前記血液サンプル中の前記血小板により仲介される前記粒子の凝集反応に適した条件下で、接触させる工程；及び
(c)前記凝集反応を評定して、前記個体における前記P2Y12アンタゴニストによる血小板凝集反応の阻害が存在すること、不存在であること、及び/又は、阻害の程度を測定する工程であって、
前記凝集反応が不存在であること、又は、前記凝集反応の減少が、前記個体がP2Y12アンタゴニスト処理に応答して血小板反応性を減少したことを示す工程；
を含む方法。
【請求項２】
ステント血栓症の危険性がある、薬剤溶出性ステント(DES)で処理された個体を同定する方法であって、
(a)DES及びP2Y12アンタゴニストで処理された個体から、血小板含有血液サンプルを準備する工程；
(b)表面に固定されたGPIIb/IIIa受容体リガンドを含有する粒子、アデノシン二リン酸(ADP)、及び、プロスタグランジンE1(PGE1)と、前記血小板含有血液サンプルとを、
前記血液サンプル中の前記血小板により仲介される前記粒子の凝集反応に適した条件下で、接触させる工程；
(c)前記凝集反応を評定して、前記個体における前記P2Y12アンタゴニストによる血小板凝集反応の阻害が存在すること、不存在であること、及び/又は、阻害の程度を測定する工程であって、
前記凝集反応が不存在であること、又は、前記凝集反応の減少が、前記個体がP2Y12アンタゴニスト処理に応答して血小板反応性を減少したことを示す工程；及び
(d)前記個体のステント血栓症の危険性レベルを評定する工程；
を含む方法。
【請求項３】
血小板含有血液サンプルが、全血サンプル又は血漿サンプルである請求項1又は2に記載の方法。
【請求項４】
血漿サンプルが、多血小板血漿(PRP)サンプルである請求項3に記載の方法。
【請求項５】
P2Y12アンタゴニストが、チエノピリジンである請求項1又は2に記載の方法。
【請求項６】
チエノピリジンが、クロピドグレルである請求項5に記載の方法。
【請求項７】
チエノピリジンが、チクロピジンである請求項5に記載の方法。
【請求項８】
個体が、P2Y12アンタゴニスト及びアスピリンで処理された請求項1又は2に記載の方法。
【請求項９】
粒子が、ポリスチレン又はラテックスを含む請求項1又は2に記載の方法。
【請求項１０】
粒子が、赤外色素を含み、
血小板含有血液サンプルと粒子との間の接触が、アッセイ混合物を形成し、
粒子の凝集反応が、赤外スペクトルにおける光でアッセイ混合物を照射し、アッセイ混合物からの赤外光の伝播を測定することによって評定される請求項1又は2に記載の方法。
【請求項１１】
GPIIb/IIIa受容体リガンドが、フィブリノーゲン、モノクローナル抗体10E5、モノクローナル抗体c7E3、フォンヴィレブランド因子、フィブロネクチン、ビトロネクチン、アルギニン-グリシン-アスパラギン酸(RGD)配列を有するリガンド、及び、RGD配列を模倣したペプチド模倣薬又はペプチドからなる群から選択される物質を含む請求項1又は2に記載の方法。
【請求項１２】
GPIIb/IIIa受容体リガンドが、フィブリノーゲンである請求項1又は2に記載の方法。
【請求項１３】
ADPが、最終濃度2〜35μMを有し、PGE1が、最終濃度2〜30nMを有する請求項1又は2に記載の方法。
【請求項１４】
ADPが、最終濃度15〜20μMを有する請求項1又は2に記載の方法。
【請求項１５】
PGE1が、最終濃度20〜25nMを有する請求項1又は2に記載の方法。
【請求項１６】
粒子、ADP、及び、PGE1が、アッセイ媒体の中に含まれる請求項1又は2に記載の方法。
【請求項１７】
アッセイ媒体が、約800nmで高い吸収作用を有する請求項16に記載の方法。
【請求項１８】
30℃〜40℃の温度範囲で行われ、
血小板含有血液サンプル、付着GPIIb/IIIa受容体リガンドを含む粒子、ADP、及び、PGE1間の接触時からリーディングまでの全時間が、約10秒間〜約10分間で変動する請求項1又は2に記載の方法。
【請求項１９】
粒子上に固定化されたGPIIb/IIIa受容体リガンド、アデノシン二リン酸(ADP)、及び、プロスタグランジンE1(PEG1)を含む、
薬剤溶出性ステント(DES)で処理された個体におけるP2Y12受容体アンタゴニストによる血小板凝集反応の阻害を評価するためのキット。
【請求項２０】
血小板凝集反応に適した範囲内で抗凝固処理された血液のpH及び塩濃度を維持するために、抗凝固剤及びバッファーを更に含む請求項19に記載のキット。
【請求項２１】
GPIIb/IIIa受容体リガンドが、フィブリノーゲン、モノクローナル抗体10E5、モノクローナル抗体c7E3、フォンヴィレブランド因子、フィブロネクチン、ビトロネクチン、アルギニン-グリシン-アスパラギン酸(RGD)配列を有するリガンド、及び、RGD配列を模倣したペプチド模倣薬又はペプチドからなる群から選択される物質を含む請求項19に記載のキット。
【請求項２２】
GPIIb/IIIa受容体リガンドが、フィブリノーゲンを含む請求項19に記載のキット。
【請求項２３】
粒子が、ポリスチレン、又は、ラテックスを含む請求項19に記載のキット。
【請求項２４】
粒子が、約1μm〜約8μmの範囲の直径を有する請求項19に記載のキット。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
生物学的流体の試料を約０．０５〜１mmの範囲の直径を有する滴としてノズルから試薬含有多孔性支持体の上又はそれに隣接するところに計量分配し、前記計量分配された生物学的流体と前記試薬との反応の結果を読む、生物学的流体中の分析対象物の量を検定する方法であって、前記生物学的流体試料を、その二つ以上の画分として、前記試薬含有支持体上に計量分配することを含み、前記画分が所定の量で所定の期間に計量分配されるものであり、前記所定の期間が、前記生物学的流体試料が計量分配されない間隔によって隔てられたものである方法。
【請求項２】
前記生物学的試料が計量分配されない前記間隔を使用して、前記生物学的流体試料の前記画分以外の液体を計量分配する、請求項１記載の方法。
【請求項３】
前記生物学的試料が計量分配されない前記間隔を使用して、液体希釈剤を計量分配する、請求項２記載の方法。
【請求項４】
前記生物学的試料が計量分配されない前記間隔を使用して、前記付着させた生物学的流体と前記試薬との反応の結果を読む、請求項２記載の方法。
【請求項５】
前記生物学的流体試料の前記二つ以上の画分が三つ以上の画分である、請求項１記載の方法。
【請求項６】
前記生物学的流体の試料をノズルから計量分配する前に、液体希釈剤又は試薬を計量分配することをさらに含む、請求項１記載の方法。
【請求項７】
前記生物学的試料が計量分配されない前記間隔を使用して、さらなる試薬を計量分配する、請求項１記載の方法。
【請求項８】
前記生物学的流体が尿である、請求項１記載の方法。
【請求項９】
前記分析対象物がヘモグロビン又はタンパク質又はグルコースである、請求項８記載の方法。
【請求項１０】
生物学的流体中の分析対象物の量を検定する際の精度及び繰り返し精度を高める方法であって、
（ａ）前記生物学的流体の試料を、前記試料の二つ以上の画分として、試薬含有多孔性支持体上に計量分配するステップであって、前記画分は、小さな滴として、所定の量で所定の期間に計量分配され、前記所定の期間は、前記生物学的流体試料が計量分配されない間隔によって隔てられているステップと、及び
（ｂ）前記計量分配された生物学的流体と前記試薬との反応の結果を読むステップと、
を含む方法。
【請求項１１】
前記生物学的試料が計量分配されない前記間隔を使用して、前記生物学的流体試料の前記画分以外の液体を計量分配する、請求項１０記載の方法。
【請求項１２】
前記生物学的試料が計量分配されない前記間隔を使用して、液体希釈剤を計量分配する、請求項１１記載の方法。
【請求項１３】
前記生物学的試料が計量分配されない前記間隔を使用して、さらなる試薬を計量分配する、請求項１１記載の方法。
【請求項１４】
前記生物学的試料が計量分配されない前記間隔を使用して、前記付着させた生物学的流体と前記試薬との反応の結果を読む、請求項１１記載の方法。
【請求項１５】
前記生物学的流体試料の前記二つ以上の画分が三つ以上の画分である、請求項１０記載の方法。
【請求項１６】
ステップ（ａ）の前に、液体希釈剤又は試薬を計量分配するステップをさらに含む、請求項１０記載の方法。
【請求項１７】
前記小さな滴が約０．０５〜１mmの範囲の直径を有する、請求項１０記載の方法。
【請求項１８】
前記生物学的流体が尿である、請求項１０記載の方法。
【請求項１９】
前記分析対象物がヘモグロビン又はタンパク質又はグルコースである、請求項１８記載の方法。
【請求項２０】
生物学的流体中の分析対象物の量を検定する際の精度及び繰り返し精度を高める方法であって、
（ａ）前記生物学的流体の試料を多孔性支持体上に計量分配すること、
（ｂ）前記生物学的流体と反応するための試薬をその二つ以上の画分として計量分配するステップであって、前記画分は、所定の量で所定の期間に計量分配され、前記所定の期間は、前記試薬が計量分配されない間隔によって隔てられているステップと、及び
（ｂ）前記生物学的流体と前記試薬との反応の結果を読むステップと、
を含む方法。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
１種以上の分析物を検出するためのキットであって、
（１）前記１種以上の分析物の検出のために構成されたアドレス指定可能な領域を有するラテラルフロー膜を含む試験デバイス；
（２）（ａ）イムノアッセイ用の固体状試薬，
（ｂ）試験サンプルを適用するための開口部を一端に有するサンプルチューブ、及び
（ｃ）前記開口部上に密封を形成するように構成され、かつ、前記サンプルチューブを反転したときに液体サンプルを前記ラテラルフロー膜に適用するために前記試験デバイスと連係するように構成された、取り付け可能なドロッパーキャップ
を含む、サンプル回収デバイス；
（３）サンプル回収器；及び
（４）抽出用緩衝液
を含む、キット
【請求項２】
前記イムノアッセイ用試薬は、各々の分析物用に、捕捉抗体及び検出抗体を含み、各々の捕捉抗体及び検出抗体の対は、その分析物の存在下で捕捉可能かつ検出可能な免疫複合体を形成する、請求項１に記載のキット。
【請求項３】
前記イムノアッセイ用試薬は、凍結乾燥されたペレットの形態である、請求項２に記載のキット。
【請求項４】
前記ラテラルフロー膜は、前記アドレス指定可能な領域において、前記捕捉抗体を捕捉することができる固定化捕捉部分を含む、請求項２に記載のキット。
【請求項５】
前記固定化捕捉部分はｐＲＮＡであり、前記捕捉抗体は相補的ｐＲＮＡを含む、請求項４に記載のキット。
【請求項６】
前記検出抗体は、染色粒子もしくは着色粒子、酵素、放射性標識、又は蛍光標識もしくは発色標識から選択される標識を含む、請求項２に記載のキット。
【請求項７】
前記標識は蛍光化合物又は粒子であり、前記キットは蛍光読み取り装置をさらに含む、請求項６に記載のキット。
【請求項８】
前記サンプル回収器は、綿棒、針、櫛、ブラシ、スパーテル、棒、又は繊維状基体を含む、請求項１に記載のキット。
【請求項９】
前記試験デバイスは、放出可能な洗浄用緩衝液を含むラテラルフロー膜の上流のチャンバをさらに含む、請求項１に記載のキット。
【請求項１０】
前記少なくとも１種の分析物は、ウイルス又はウイルス成分であるか、細菌又は細菌成分である、請求項１に記載のキット。
【請求項１１】
前記分析物は、Ａ型およびＢ型インフルエンザウイルス成分を含む、請求項１０に記載のキット。
【請求項１２】
前記少なくとも１種の分析物は、心臓障害、心疾患、又は心臓病と関連し、あるいは、前記少なくとも１種の分析物は、脳障害、脳疾患、又は脳疾病と関連する、請求項１に記載のキット。
【請求項１３】
前記少なくとも１種の分析物は、脳性ナトリウム利尿ペプチド（ＢＮＰ）、ＮＴ−ｐｒｏＢＮＰ、ｐｒｏＢＮＰ、ＣＮＰ、又はＡＮＰである、請求項１２に記載のキット。
【請求項１４】
前記少なくとも１種の分析物は、抗体である、請求項１に記載のキット。
【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
掘削装置のための磨耗部材であって、
縦軸線に沿って概ね整合された作用部分及び取り付け部分であって、取り付け部分は掘削装置に摩耗部材を取り付けるために掘削装置に固定されたベースを受け入れるためのソケットを含み、作用部分はソケットの前方の摩耗部材の部分である、作用部分及び取り付け部分と、
掘削作業中に地面中を磨耗部材が推進する間、前方面になるように適合された前面と、
地面中を磨耗部材が推進する間、後方面になるように適合された後面とを備え、
前面及び後面は、作用部分及び取り付け部分にわたって軸方向に伸び、作用部分及び取り付け部分の少なくとも一部に沿った縦軸線に垂直な横断面に関して前面は後面よりも大きな幅を有する磨耗部材。
【請求項２】
掘削装置のための磨耗部材であって、
縦軸線に沿って概ね整合された作用部分及び取り付け部分であって、取り付け部分は掘削装置に摩耗部材を取り付けるために掘削装置に固定されたベースを受け入れるためのソケットを含み、作用部分はソケットの前方の摩耗部材の部分である、作用部分及び取り付け部分と、
掘削作業中に地面中を磨耗部材が推進する間、前方面になるように適合された前面と、
地面中を磨耗部材が推進する間、後方面になるように適合された後面と、
前面と後面との間に伸びる側壁とを備え、
前面、後面及び側壁は、作用部分及び取り付け部分にわたって軸方向に伸び、
側壁が、取り付け部分の少なくとも前端部の全体にわたって後面の方へ概ね互いに近寄る磨耗部材。
【請求項３】
請求項２記載の磨耗部材において、
側壁は、取り付け部分の長さ全体に実質的にわたる後面の方へ概ね互いに近寄る磨耗部材。
【請求項４】
請求項１乃至３のうちのいずれか一つに記載の磨耗部材において、
取り付け部分は、縦軸線に垂直な概ね台形の横断面形状を有する磨耗部材。
【請求項５】
請求項１乃至４のうちのいずれか一つに記載の磨耗部材において、
ソケットは、概ね台形の横断面形状を有する磨耗部材。
【請求項６】
請求項１乃至５のうちのいずれか一つに記載の磨耗部材において、
作用部分の実質的に全体に沿った縦軸線に垂直な横断面に関して前面は後面よりも大きな幅を有する磨耗部材。
【請求項７】
掘削装置のための磨耗部材であって、
縦軸線に沿って概ね整合された作用部分及び取り付け部分を備え、
取り付け部分は掘削装置に摩耗部材を取り付けるために掘削装置に固定されたベースを受け入れるためのソケットを含み、
ソケットは、前端部と、前端部の後方の主要部分とを含み、前端部は、縦軸線を概ね横切る前支持面を有し、
ソケットの主要部分と、取り付け部分の外面は、それぞれ、縦軸線に対して概ね台形形状の横断面を有する磨耗部材。
【請求項８】
請求項１乃至７のうちのいずれか一つに記載の磨耗部材において、
磨耗部材をベースに固定するためのロックを受け入れる開口を含む磨耗部材。
【請求項９】
請求項１乃至８のうちのいずれか一つに記載の磨耗部材において、
作用部分は、細長いビットである磨耗部材。
【請求項１０】
請求項１乃至９のうちのいずれか一つに記載の磨耗部材において、
作用部分は、縦軸線に垂直な概ね台形の横断面形状を有する磨耗部材。
【請求項１１】
請求項１乃至１０のうちのいずれか一つに記載の磨耗部材において、
取り付け部分の実質的に全長さは、縦軸線に垂直な概ね台形の横断面形状を有する磨耗部材。
【請求項１２】
請求項１乃至１１のうちのいずれか一つに記載の磨耗部材において、
ベースに形成された谷間に勘合する突出部を画定するために、ソケットの少なくとも一つの壁は内方に曲がっている磨耗部材。
【請求項１３】
請求項１乃至１２のうちのいずれか一つに記載の磨耗部材において、
ソケットは、面の幅全体に実質的にわたって内方に曲がっている上面、下面及び側面を有する磨耗部材。
【請求項１４】
請求項１乃至１３のうちのいずれか一つに記載の磨耗部材において、
ソケットの前端部の前支持面は、概ね半球形である磨耗部材。
【請求項１５】
掘削装置のための磨耗アッセンブリであって、
掘削装置に固定されたベースと、
縦軸線に沿って概ね整合された作用部分及び取り付け部分を有する磨耗部材とを備え、
取り付け部分は、
掘削装置に摩耗部材を取り付けるために掘削装置に固定されたベースを受け入れるためのソケットであって、作用部分はソケットの前方の摩耗部材の部分であり、掘削される土成分と概ね初期に接する前端部を含む、ソケットと、
掘削作業中に地面中を磨耗部材が推進する間、前方面になるように適合された前面と、
地面中を磨耗部材が推進する間、後方面になるように適合された後面とを含み、
前面及び後面は、作用部分及び取り付け部分にわたって軸方向に伸び、作用部分及び取り付け部分の少なくとも一部に沿った縦軸線に垂直な横断面に関して前面は後面よりも大きな幅を有し、
磨耗アッセンブリは、更に、
磨耗部材をベースに着脱可能に固定するためのロックを備える磨耗アッセンブリ。
【請求項１６】
掘削装置のための磨耗アッセンブリであって、
掘削装置に固定されたベースと、
縦軸線に沿って概ね整合された作用部分及び取り付け部分を有する磨耗部材とを備え、
取り付け部分は、
掘削装置に摩耗部材を取り付けるために掘削装置に固定されたベースを受け入れるためのソケットであって、作用部分はソケットの前方の摩耗部材の部分である、ソケットと、
掘削作業中に地面中を磨耗部材が推進する間、前方面になるように適合された前面と、
地面中を磨耗部材が推進する間、後方面になるように適合された後面と、
前面と後面との間に伸びる側壁とを含み、
前面、後面及び側壁は、取り付け部分の少なくとも前端部の全体にわたって後面の方へ概ね互いに近寄り、
磨耗アッセンブリは、更に、
磨耗部材をベースに着脱可能に固定するためのロックを備える磨耗アッセンブリ。
【請求項１７】
請求項１５又は１６に記載の磨耗アッセンブリにおいて、
ベースは、ソケットの中に受け入れられたノーズを含み、ノーズ及びソケットは、各々、縦軸線に垂直な概ね台形の横断面形状を有する磨耗アッセンブリ。
【請求項１８】
掘削装置のための磨耗アッセンブリであって、
掘削装置に固定されたベースと、
縦軸線に沿って概ね整合された作用部分及び取り付け部分を有する磨耗部材とを備え、
取り付け部分は、掘削装置に摩耗部材を取り付けるためにベースを受け入れるためのソケットを含み、ソケットは、前端部と、前端部の後方の主要部分とを含み、前端部は、縦軸線を概ね横切る前支持面を有し、ソケットの主要部分と、取り付け部分の外面は、それぞれ、縦軸線に対して概ね台形形状の横断面を有し、
磨耗アッセンブリは、更に、
磨耗部材をベースに着脱可能に固定するためのロックを備える磨耗アッセンブリ。
【請求項１９】
請求項１５乃至１８のうちのいずれか一つに記載の磨耗アッセンブリにおいて、
ベースは、ソケットの中に受け入れられたノーズを含み、ノーズは複数の谷間を含み、ソケットは、谷間に受け入れられる複数の突出部を含む磨耗アッセンブリ。
【請求項２０】
請求項１８記載の磨耗アッセンブリにおいて、
ベースは、ソケットの形状に実質的に合致するために、縦軸線に対して概ね台形形状の横断面を有するノーズを含む磨耗アッセンブリ。
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
座標位置決めマシンと共に使用する測定プローブのための保管装置であって、
測定プローブのための少なくとも一のレセプタクルを有する保管ユニットと、
測定プローブが少なくとも一のレセプタクルに配置される際に、測定プローブの温度をコントロールするための少なくとも一の温源であって、前記測定プローブの座標位置決めマシンとの接触部分の少なくとも一部をターゲットとするよう構成された少なくとも一の温源と、
を有する保管装置。
【請求項２】
前記温源は、前記レセプタクルに配置された測定プローブの第１端をターゲットとするように構成される、請求項１に記載の保管装置。
【請求項３】
前記少なくとも一の温源は、前記レセプタクルに配置された前記測定プローブの座標位置決めマシンとの接触面をターゲットとするように前記温源が構成される請求項１または２に記載の保管装置。
【請求項４】
前記温源の少なくとも一部は、前記レセプタクルに対して変位可能である、請求項１ないし３のいずれかに記載の保管装置。
【請求項５】
前記温源の少なくとも一部は、前記温源が前記レセプタクル内に配置された測定プローブの選択された部分を越えて延在する閉じられた位置と、前記レセプタクル内に配置された前記測定プローブの前記選択された部分が露出される開放位置との間で、前記レセプタクルに対して変位可能である、請求項４に記載の保管装置。
【請求項６】
前記温源は、少なくとも一の温度要素、および、少なくとも一の温度伝導アームを有し、前記少なくとも一の温度伝導アームは、前記レセプタクルに対して変位可能である、請求項１ないし５のいずれかに記載の保管装置。
【請求項７】
前記少なくとも一の温度要素は、前記アームが前記温度要素に対して変位可能であるように、前記少なくとも一のアームと分離して提供される、請求項６に記載の保管装置。
【請求項８】
前記少なくとも一の温度要素は、前記アームに対して固定される、請求項６に記載の保管装置。
【請求項９】
前記温源をコントロールするように構成された温度制御装置さらに含む、請求項１ないし８のいずれかに記載の保管装置。
【請求項１０】
前記温度制御装置は、前記レセプタクルに配置された前記測定プローブの温度を実質的に所定温度に維持するように前記温度をコントロールするように構成される請求項９に記載の保管装置。
【請求項１１】
前記所定温度は、前記測定プローブの作動温度である請求項１０に記載の保管装置。
【請求項１２】
前記温度制御装置は、前記レセプタクルに配置された前記測定プローブの作動温度を示している信号を温度センサーから受けるように構成され、かつ、測定プローブの温度を前記作動温度に維持するために前記温源をコントロールするように構成される請求項１１に記載の保管装置。
【請求項１３】
前記温度制御装置は、前記保管装置に配置された前記温度センサーから、前記レセプタクルに配置された前記測定プローブの前記作動温度を示している信号を受けるように構成される請求項１２に記載の保管装置。
【請求項１４】
前記温度制御装置は、前記測定プローブに配置された前記温度センサーから、前記測定プローブの前記作動温度を示している信号を受けるように構成される請求項１２に記載の保管装置。
【請求項１５】
前記保管ユニットは、前記レセプタクル内に配置された前記測定プローブにおいて電力を少なくとも一の電気構成部品に供給するための少なくとも一の電気コネクタを含む、請求項１ないし１４のいずれかに記載の保管装置。
【請求項１６】
前記少なくとも一の電気コネクタは、前記測定プローブの少なくとも一の座標位置決めマシン電力供給コネクタと接続するように構成される請求項１５に記載の保管装置。
【請求項１７】
前記温源は、熱源を含む、請求項１ないし１６のいずれかに記載の保管装置。
【請求項１８】
前記加熱要素は、抵抗器である請求項１７に記載の保管装置。
【請求項１９】
請求項１ないし１８のいずれかに記載の保管装置と、
前記少なくとも一のレセプタクルに割り当てられた測定プローブを含むキット。
【請求項２０】
保管ユニット内において座標位置決めマシンと共に使用するための測定プローブを保管する方法であって、
前記測定プローブを、前記測定プローブの座標位置決めマシンとの接触部分の少なくとも一部をターゲットとするよう構成された温源を有する前記保管ユニット内に配置すること、および、
前記温源を介して前記測定プローブの温度をコントロールすること、
を含む方法。
【請求項２１】
前記測定プローブの温度を実質的に所定温度に維持することを含む請求項２０に記載の方法。
【請求項２２】
前記所定温度は、前記測定プローブの作動温度である請求項２１に記載の方法。
【請求項２３】
前記少なくとも一の温源は、前記レセプタクルに配置された前記測定プローブの座標位置決めマシンとの接触面をターゲットとするように前記温源が構成される請求項２０に記載の方法。
【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
流体調整装置制御システム向けの制御信号を受信し、
前記流体調整装置制御システムに前記制御信号を伝え、
現地試験始動装置の少なくとも１つのユーザ入力装置の活動化を検出すると、前記流体調整装置制御システムに伝えられた前記制御信号を変更するように適応された前記現地試験始動装置と、
前記現地試験始動装置に結合された前記流体調整装置制御システムであって、
前記現地試験始動装置から前記制御信号を受信し、
前記受信制御信号に基づいて流体調整装置制御信号を生成し、
前記制御信号に基づいて流体調整装置検査シーケンスを始動するかどうか判定するように適応された前記流体調整装置制御システムとを備える、流体調整用システム。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
感圧性接着剤アセンブリの製造方法であって、
シリコーンポリマーを含む感圧性接着剤組成物を第１剥離ライナーの第１主表面上にコーティングして、第１層を形成する工程と、
エラストマーを含む組成物を前記第１層上にコーティングして第２層を形成する工程であって、この工程中、前記第１層の感圧性接着剤組成物及び前記第２層の組成物の少なくとも一方が未硬化状態である、工程と、
前記第１層及び前記第２層の少なくとも一方を硬化させる工程と、からなり、
前記多層アセンブリの第１感圧性接着剤組成物は、前記多層アセンブリが４６日間４９℃（１２０°Ｆ）にて保管された後、剥離ライナーに対して、７６．９ｇ／ｃｍ（幅０．５インチ当たり１００グラム）以下の剥離力を示す、製造方法。
【請求項２】
感圧性接着剤アセンブリの製造方法であって、
第１組成物たる、シリコーンポリ尿素ブロックコポリマーを含む感圧性接着剤組成物を第１剥離ライナーの第１主表面上にコーティングして、第１層を形成する工程と、
エラストマーを含む第２組成物を前記第２剥離ライナー上にコーティングする工程と、
前記第１組成物と前記第２組成物を接触させて、多層アセンブリを形成する工程と、からなり、
前記多層アセンブリの第１組成物は、前記多層アセンブリが４６日間４９℃（１２０°Ｆ）にて保管された後、剥離ライナーに対して、７６．９ｇ／ｃｍ（幅０．５インチ当たり１００グラム）以下の剥離力を示す、製造方法。
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
少なくともジエンエラストマー、補強用充填剤および下記の式(I)で表される1,2‐シクロヘキサンジカルボン酸ジエステル可塑剤を含むゴム組成物：
【化１】
2010526924.tif 000001
(式中、R基は、同一または異なるものであって、炭化水素基を示す)。
【請求項２】
前記R基が、同一または異なるものであって、1〜30個の炭素原子を含む線状、枝分れまたは環状のアルキルおよび6〜30個の炭素原子を含むアリール、アラルキルまたはアルカリールからなる群から選ばれる、請求項１記載の組成物。
【請求項３】
前記R基が、1〜20個の炭素原子を含む線状、枝分れまたは環状のアルキル基を示す、請求項２記載の組成物。
【請求項４】
前記R基が、8〜11個の炭素原子を含む、請求項３記載の組成物。
【請求項５】
前記ジエステル可塑剤が、下記の式(II)の1,2‐シクロヘキサンジカルボン酸ジイソノニルである、請求項４記載の組成物。
【化２】
2010526924.tif 000002
【請求項６】
前記ジエステル可塑剤の量が、5〜60pceである、請求項１〜５のいずれか１項記載の組成物。
【請求項７】
可塑化用炭化水素樹脂をさらに含み、前記樹脂が0℃よりも高いガラス転移温度(Tg)を有する、請求項１記載の組成物。
【請求項８】
前記可塑化用炭化水素樹脂が、シクロペンタジエン(CPDと略記する)或いはジシクロペンタジエン(DCPDと略記する)のホモポリマーまたはコポリマー樹脂、テルペンのホモポリマーまたはコポリマー樹脂、C5留分のホモポリマーまたはコポリマー樹脂およびこれら樹脂の混合物からなる群から選ばれる、請求項７記載の組成物。
【請求項９】
前記可塑化用炭化水素樹脂の量が、5〜60pceである、請求項７記載の組成物。
【請求項１０】
前記ジエンエラストマーが、ポリブタジエン類、合成ポリイソプレン類、天然ゴム、ブタジエンコポリマー類、イソプレンコポリマー類およびこれらエラストマーの混合物からなる群から選ばれる、請求項１記載の組成物。
【請求項１１】
請求項１記載のゴム組成物を含むタイヤ。
【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
Ａ）  芳香族ポリカーボネートおよび／または芳香族ポリエステルカーボネート、１０〜９９重量部、
Ｂ）  Ｂ．１  Ｂ．２上の少なくとも一種類のビニルモノマー、５〜９５ｗｔ．％
Ｂ．２  ガラス転移温度１０℃未満の一種類以上のグラフトベース、９５〜５ｗｔ．％
のゴム変性グラフトポリマー、１〜３５重量部、
Ｃ）  α−メチルスチレンとアクリロニトリルとのコポリマーを除くビニル（コ）ポリマーおよび／またはポリアルキレンテレフタレート、０〜４０重量部、
Ｄ）  リン含有防炎加工剤、成分Ａ＋Ｂ＋Ｃの合計に対して０〜５０重量部、
Ｅ）  添加剤、成分Ａ＋Ｂ＋Ｃの合計に対して０〜５０重量部
を含有する組成物であって、
成分Ｂが、式（Ｉ）
【化１】
2010526922.tif 000001
（式中、
ＥＷＧは、カルボニル、カルボキシル、ニトリル、ニトロまたはスルホン基であり、
Ｗは、Ｃ１〜Ｃ３０−アルキル、Ｃ１−〜Ｃ３０−シクロアルキル、Ｃ１−〜Ｃ３０−アリール、Ｃ１−〜Ｃ３０−（アリール）アルキル、Ｃ１−〜Ｃ３０−（アルキル）アリール、Ｃ１−〜Ｃ３０−アルコキシ、Ｃ１−〜Ｃ３０−アリールオキシまたは式ＲＯ−（ＣＨ２−ＣＨ２−Ｏ）ａ−（式中、ａ＝１〜５０かつＲ＝Ｃ１−〜Ｃ３０−アルキルまたはＣ１−〜Ｃ３０−アリールである。）のＣ２〜Ｃ１００エトキシル化アルコキシまたはアリールオキシ基から選択される基であって、上記全ての基は、例えば、上記ＥＷＧに関する定義の一以上の電子吸引基で置換されていてもよい基であり、
Ｒ９は、Ｈまたはそれぞれ置換されていてもよいＣ１〜Ｃ３０−アルキル、Ｃ１〜Ｃ３０−アリールもしくはＣ１〜Ｃ３０−（アルキル）アリールであり、
Ｙ−は、ボレート（−Ｏ−ＢＯ（ＯＲ９）−）、ボロネート（−ＢＯ（ＯＲ９）−）、ニトレート（−Ｏ−ＮＯ２−）、ニトロ（−ＮＯ２−）、スルフェート（−Ｏ−ＳＯ３−）、スルホネート（−ＳＯ３−）、ホスフェート（−Ｏ−Ｐ（ＯＲ９）Ｏ２−）およびホスホネート（−Ｐ（ＯＲ９）Ｏ２−）からなる群から選択され、
ｚは、数字１または２であり、かつ、
Ｍｚ＋は、ｚ＝１の場合、Ｌｉ＋、Ｎａ＋、Ｋ＋、Ｒｂ＋、Ｃｓ＋、アンモニウムカチオン、アルキルアンモニウムカチオン（ＮＨ４−ｎＲ９ｎ＋、式中、ｎは１〜４である。）、ホスホニウムカチオンおよびアルキルホスホニウムカチオン（ＰＨ４−ｎＲ９ｎ＋、式中、ｎは１〜４である。）からなる群から選択され、ｚ＝２の場合、Ｍｇ２＋、Ｃａ２＋、Ｓｒ２＋およびＢａ２＋からなる群から選択される。）
の乳化剤を用いる、成分Ｂ．１とグラフトベースＢ．２とのエマルジョン重合による反応によって得られことを特徴とする、組成物。
【請求項２】
成分Ｂが、式（Ｖ）
【化２】
2010526922.tif 000002
（式中、
Ｒ９、Ｙ−は、請求項１において説明する意味を有し、
ＥＷＧは、互いに独立して、請求項１に定義する意味を有し、
Ｆは、アルキリデン基−ＣＲ１０Ｒ１１−であり、
Ｒ１０およびＲ１１は、互いに独立して、それぞれ、Ｈ、炭素原子を１〜３０個有するアルキル、シクロアルキル、（アリール）アルキル、（アルキル）アリール、アルコキシまたはアリールオキシ基である。）
の乳化剤を用いる、成分Ｂ．１とグラフトベースＢ．２とのエマルジョン重合による反応によって得られることを特徴とする、請求項１に記載の組成物。
【請求項３】
成分Ｂが、式（ＶＩ）
【化３】
2010526922.tif 000003
（式中、
Ｒ１２およびＲ１３は、互いに独立して、それぞれ、Ｈ、炭素原子を１〜３０個有するアルキル、シクロアルキル、（アリール）アルキルまたはアルキル（アリール）であり、かつ、
Ｍ＋は、Ｌｉ＋、Ｎａ＋、Ｋ＋、Ｒｂ＋、Ｃｓ＋からなる一連の群から選択される。）
の乳化剤を用いる、成分Ｂ．１とグラフトベースＢ．２とのエマルジョン重合による反応によって得られることを特徴とする、請求項１に記載の組成物。
【請求項４】
スルホコハク酸ジシクロヘキシルジエステルを乳化剤として用いる成分Ｂ．１とグラフトベースＢ．２とのエマルジョン重合による反応によって成分Ｂが得られることを特徴とする、請求項１に記載の組成物。
【請求項５】
成形物品の製造への請求項１〜４のいずれか一項に記載の組成物の使用。
【請求項６】
請求項１〜４のいずれか一項に記載の組成物を含有する成形物品。
【手続補正書】
【提出日】平成23年4月25日(2011.4.25)
【手続補正１】
【補正対象書類名】明細書
【補正対象項目名】００１５
【補正方法】変更
【補正の内容】
【００１５】
それによると、ハウジング内に配置された駆動軸と出力軸とを有する、本発明による遊星構造の多段変速機が提案される。更に、以下において第１遊星歯車セット、第２遊星歯車セット及び第３遊星歯車セットと称される少なくとも３つの遊星歯車セットと、以下において駆動軸、出力軸、第３軸、第４軸、第５軸、第６軸及び第７軸と称される少なくとも７つの回転可能軸と、ブレーキ及びクラッチを有する６つのシフトエレメントと、が設けられている。当該シフトエレメントの選択的な係合が、駆動軸と出力軸との間で、様々なギヤ比をもたらす。これにより、好適には、前進７速段と後進段とが実現可能である。本発明によれば、遊星歯車セットは、好適には、マイナス遊星歯車セットとして形成される。
【手続補正２】
【補正対象書類名】特許請求の範囲
【補正対象項目名】請求項１
【補正方法】変更
【補正の内容】
【請求項１】
遊星構造の多段変速機、特には自動車用の自動変速機であって、ハウジング（Ｇ）内に配置された駆動軸（１）及び出力軸（２）、３組の遊星歯車セット（Ｐ１、Ｐ２、Ｐ３）、少なくとも７本の回転可能軸（１、２、３、４、５、６、７）、ならびに、ブレーキ（０３、０４、０５）及びクラッチ（１５、３６、５７）を有する６つのシフトエレメント（０３、０４、０５、１５、３６、５７）、を備えており、それらの選択的係合が駆動軸（１）と出力軸（２）との間に異なるギヤ比を生じ、その結果、前進７段及び後進１段が実現可能であり、
前記駆動軸（１）は、第２遊星歯車セット（Ｐ２）の太陽歯車と常時結合されており、第１クラッチ（１５）を介して第５軸（５）と解除可能に結合可能であり、
前記軸（５）は、第３遊星歯車セット（Ｐ３）のキャリヤーと常時結合されており、第３ブレーキ（０５）を介してハウジング（Ｇ）に締結可能であり、第３クラッチ（５７）を介して第７軸（７）と解除可能に結合可能であり、
前記第７軸（７）は、第２遊星歯車セット（Ｐ２）のキャリヤー及び第１遊星歯車セット（Ｐ１）の内歯歯車と常時結合されており、
前記第６軸（６）は、第３遊星歯車セット（Ｐ３）の太陽歯車及び第２遊星歯車セット（Ｐ２）の内歯歯車と常時結合されており、第２クラッチ（３６）を介して前記第３軸（３）と解除可能に結合可能であり、
前記第３軸（３）は、第１遊星歯車セット（Ｐ１）のキャリヤーと常時結合されており、第１ブレーキ（０３）を介して変速機のハウジング（Ｇ）に締結可能であり、
前記第４軸（４）は、第１遊星歯車セット（Ｐ１）の太陽歯車と常時結合されており、第２ブレーキ（０４）を介して変速機のハウジング（Ｇ）に締結可能であり、
前記出力軸（２）は、第３遊星歯車セット（Ｐ３）の内歯歯車と常時結合されている
ことを特徴とする多段変速機。
【手続補正３】
【補正対象書類名】特許請求の範囲
【補正対象項目名】請求項２
【補正方法】変更
【補正の内容】
【請求項２】
前記第３クラッチ（５７）及び前記第１クラッチ（１５）は、軸方向に見て、実質的に第２遊星歯車セット（Ｐ２）と第３遊星歯車セット（Ｐ３）との間に配置されている
ことを特徴とする請求項１に記載の多段変速機。
【手続補正４】
【補正対象書類名】特許請求の範囲
【補正対象項目名】請求項３
【補正方法】変更
【補正の内容】
【請求項３】
前記第３ブレーキ（０５）、前記第２クラッチ（３６）及び前記第３クラッチ（５７）は、噛み合い式のシフトエレメントとして形成されており、
前記第１ブレーキ（０３）、前記第２ブレーキ（０４）及び前記第１クラッチ（１５）は、摩擦式のシフトエレメントとして形成されている
ことを特徴とする請求項１または２に記載の多段変速機。
【手続補正５】
【補正対象書類名】特許請求の範囲
【補正対象項目名】請求項５
【補正方法】変更
【補正の内容】
【請求項５】
・前進第１段は、前記第２クラッチ（３６）、前記第３クラッチ（５７）及び前記第３ブレーキ（０５）の係合によって、
・前進第２段は、前記第２クラッチ（３６）、前記第３クラッチ（５７）及び前記第１ブレーキ（０３）の係合によって、
・前進第３段は、前記第２クラッチ（３６）、前記第３クラッチ（５７）及び前記第２ブレーキ（０４）の係合によって、
・前進第４段は、前記第２クラッチ（３６）、前記第３クラッチ（５７）及び前記第１クラッチ（１５）の係合によって、
・前進第５段は、前記第１クラッチ（１５）、前記第２クラッチ（３６）及び前記第２ブレーキ（０４）の係合によって、
・前進第６段は、前記第１クラッチ（１５）、前記第２クラッチ（３６）及び前記第１ブレーキ（０３）の係合によって、
・前進第７段は、前記第１クラッチ（１５）、前記第１ブレーキ（０３）及び前記第２ブレーキ（０４）の係合によって、
生じる
ことを特徴とする請求項１乃至４のいずれかに記載の多段変速機。
【手続補正６】
【補正対象書類名】特許請求の範囲
【補正対象項目名】請求項６
【補正方法】変更
【補正の内容】
【請求項６】
後進段は、前記第２ブレーキ（０４）、前記第３ブレーキ（０５）及び前記第２クラッチ（３６）の係合によって生じる
ことを特徴とする請求項１乃至５のいずれかに記載の多段変速機。
【手続補正７】
【補正対象書類名】特許請求の範囲
【補正対象項目名】請求項１３
【補正方法】変更
【補正の内容】
【請求項１３】
変速機の動力伝達方向の後方に、外部発進要素が配置可能であり、
駆動軸（１）は、エンジンのクランクシャフトに堅く結合されている
ことを特徴とする請求項１乃至１２のいずれかに記載の多段変速機。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
a) 個体から得られた便試料を提供する工程、
b) 前記試料とTIMP-1に特異的な結合剤を、前記結合剤とTIMP-1の複合体の形成に適した条件下で接触させる工程、
c) 工程(b)で形成された複合体の量を測定する工程、および
d) 形成された複合体の量と結腸直腸癌の検出を相関する工程
を含む、結腸直腸癌の検出方法。
【請求項２】
a) 個体から得られた便試料を提供する工程、
b) 前記試料とTIMP-1に特異的な結合剤を、前記結合剤とTIMP-1の複合体の形成に適した条件下で接触させる工程、
c) 前記試料と、ヘモグロビン/ハプトグロビン複合体、ヘモグロビン、カルプロテクチン、および腫瘍M2ピルビン酸キナーゼ（M2-PK）からなる群より選択される第2のマーカーに特異的な結合剤を、前記結合剤と第2のマーカーの複合体の形成に適した条件下で接触させる工程、
d) 工程(b)および(c)で形成された複合体の量を測定する工程、ならびに
e) 工程(b)および(c)で形成された複合体の量と結腸直腸癌の検出を相関する工程
を含む、結腸直腸癌の検出方法。
【請求項３】
前記第2のマーカーがヘモグロビンである請求項2記載の方法。
【請求項４】
前記第2のマーカーがヘモグロビン/ハプトグロビン複合体である請求項2記載の方法。
【請求項５】
抽出バッファを使用して便試料を処理し、前記処理された便試料からTIMP-1を特異的に測定する、請求項1〜4いずれか記載の方法。
【請求項６】
便試料を提供する工程において、抽出バッファを含む便回収デバイスを使用する、請求項1〜5いずれか記載の方法。
【請求項７】
特異的結合剤が抗体である、請求項1〜6いずれか記載の方法。
【請求項８】
個体から得られた便試料からの結腸直腸癌の検出における、マーカー分子としてのタンパク質TIMP-1の使用。
【請求項９】
個体から得られた便試料からの結腸直腸癌の早期検出における、マーカー分子としてのタンパク質TIMP-1の使用。
【請求項１０】
個体から得られた便試料からの結腸直腸癌の検出における、ヘモグロビン/ハプトグロビン複合体、ヘモグロビン、カルプロテクチン、および腫瘍M2ピルビン酸キナーゼ（M2-PK）からなる群より選択される結腸直腸癌のための1つ以上の他のマーカー分子と組み合わせた、結腸直腸癌のためのマーカー分子としてのタンパク質TIMP-1の使用。
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
座標位置決めマシンと共に使用する測定プローブのための保管装置であって、
測定プローブのための少なくとも一のレセプタクルと、
測定プローブが前記レセプタクルに配置された時に、測定プローブの少なくとも一のプローブコネクタとの電気的接続のための少なくとも一のレセプタクルコネクタとを備え、
前記少なくとも一のレセプタクルコネクタは、測定プローブが前記レセプタクルに配置された時に、当該レセプタクルコネクタが測定プローブの前記プローブコネクタから切り離されるように、移動可能に構成されている、保管装置。
【請求項２】
前記少なくとも一のレセプタクルコネクタを移動させるように、前記座標位置決めマシンにより動作可能な移動部材を備える、請求項１に記載の保管装置。
【請求項３】
前記移動部材は、前記少なくとも一のレセプタクルコネクタを保持するアームを備える請求項２に記載の保管装置。
【請求項４】
前記アームの少なくとも一部は、前記座標位置決めマシンによる操作のための保管ユニットから延在している、請求項３に記載の保管装置。
【請求項５】
前記アームは、測定プローブが前記レセプタクルに配置された時に、前記アームが前記座標位置決めマシンに設置するための測定プローブの面の少なくとも一部を越えて延在するように、前記レセプタクルを横切って延在するように構成される、請求項３又は４に記載の保管装置。
【請求項６】
前記少なくとも一のレセプタクルコネクタは、少なくとも一のアームに対して少なくとも一の電気コネクタが移動できるように、フレキシブルなマウントを介して前記アームに設置される請求項３ないし５のいずれかに記載の保管装置。
【請求項７】
前記少なくとも一のアームは、前記レセプタクルに配置された測定プローブに対して付勢されるように構成される、請求項３ないし６のいずれかに記載の保管装置
【請求項８】
前記少なくとも一のアームは、前記レセプタクルに配置された測定プローブを引き付ける少なくとも一の磁石を有する、請求項７に記載の保管装置。
【請求項９】
前記少なくとも一のアームは、前記レセプタクルに配置された測定プローブの対応する構造と協働するための少なくとも一の位置決め構造を備える請求項３ないし８のいずれかに記載の保管装置。
【請求項１０】
前記少なくとも一のレセプタクルコネクタは、前記レセプタクルに受け入れられた測定プローブ内の電気構成部品に電力を供給するためのものである、請求項１ないし９のいずれかに記載の保管装置。
【請求項１１】
少なくとも２つのレセプタクルを備え、その少なくとも２つは、少なくとも一のレセプタクルコネクタであって、前記レセプタクルに配置された測定プローブの前記プローブコネクタから当該レセプタクルコネクタ切り離すように移動可能な少なくとも一のレセプタクルコネクタを有する、請求項１ないし１０のいずれかに記載の保管装置。
【請求項１２】
前記少なくとも一のレセプタクルコネクタは、測定プローブが座標位置決めマシンに取り付けられたときに、該座標位置決めマシンの対応するコネクタと接続を行うための前記測定プローブの少なくとも一のマシンコネクタと電気的接続を行うためのものである請求項１ないし１１のいずれかに記載の保管装置。
【請求項１３】
測定プローブおよび少なくとも一のレセプタクルコネクタのためのレセプタクルを有する保管装置と、
座標位置決めマシンに設置された時に、座標位置決めマシンの対応するコネクタへの電気的接続のための少なくとも一のマシンコネクタを提供する接触面を有し、座標位置決めマシンで使用するための測定プローブと、を備え、
前記保管装置は、前記測定プローブが前記レセプタクルに配置される時に、少なくとも一のレセプタクルコネクタが、前記測定プローブの接触面の電気的コネクタと電気的に接続するように構成される、キット。
【請求項１４】
前記少なくとも一のレセプタクルコネクタは、接触面の少なくとも一のマシンコネクタと電気的に接続する、請求項１３に記載のキット。
【請求項１５】
座標位置決めマシンに設置された測定プローブを保管装置内に保管する方法であって、
前記測定プローブは、前記測定プローブの接触面に設けられた少なくとも一のマシンコネクタを介して前記座標位置決めマシンと電気的に接続される電気構成部品を備え、
前記保管装置は、少なくとも一のレセプタクルおよび少なくとも一のレセプタクルコネクタを備え、
前記測定プローブを前記レセプタクルに配置すること、および、
前記測定プローブの接触面の電気コネクタを介して前記測定プローブの前記電気構成部品と前記少なくとも一のレセプタクルコネクタを電気的に接続することを、
を含む方法。
【請求項１６】
前記少なくとも一のレセプタクルコネクタを前記測定プローブのマシンコネクタを介して前記測定プローブの前記電気構成部品と電気的に接続すること、を備える請求項１５に記載の方法。
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
少なくとも
（ａ）１つ以上のフッ素化モノオレフィンモノマーと、
（ｂ）次の一般式：
ＣＲ１Ｒ２＝ＣＦ−（ＣＦ２）ｎ−Ｏ−（ＣＦ２）ｍ−ＣＦ＝ＣＲ３Ｒ４  （Ｉ）、
ＣＲ１Ｒ２＝ＣＦ−ＣＦ２−Ｏ−Ｒｆ１−Ｏ−ＣＦ２−ＣＦ＝ＣＲ３Ｒ４  （ＩＩ）、または
Ｘ−Ｒｆ２−Ｙ  （ＩＩＩ）
（式中
ＸおよびＹは、互いに独立し、
Ｒ１Ｒ２Ｃ＝ＣＲ３−、Ｒ１Ｒ２Ｃ＝ＣＲ３−Ｏ−；Ｒ１Ｒ２Ｃ＝ＣＲ３−ＣＲ４Ｒ５−Ｏ−；
であり、
Ｒ１、Ｒ２、Ｒ３、Ｒ４、およびＲ５は、それぞれ独立し、Ｒｆ１、Ｆ、またはＨから選択され、
Ｒｆ１は、Ｒｆ２からなる群から選択されるか、直鎖状もしくは分枝状ペルフルオロアルキル、ペルフルオロアルキルエーテル、またはペルフルオロアルキルポリエーテル残基であり、および
Ｒｆ２は、非フッ素化またはフッ素化もしくは完全フッ素化アリールであり、（オレフィン部分に加えて）アリールは、非置換であってもよいし、次のもの：
Ｆ以外の１つ以上のハロゲン；
１つ以上の完全フッ素化アルキル残基；
１つ以上の完全フッ素化アルコキシ残基；
１つ以上の完全フッ素化ポリオキシアルキル残基；
１つ以上のフッ素化、完全フッ素化、もしくは非フッ素化フェニル、またはフェノキシ部分、またはこれらの組み合わせ（ここで、前記フェニルまたはフェノキシ残基は、非置換であってもよいし、１つ以上の完全フッ素化アルキル、アルコキシもしくはポリオキシアルキル残基、またはＦ以外の１つ以上のハロゲン、またはこれらの組み合わせで置換されてもよい）；
で置換されてもよく、
ｎおよびｍがともに０ではないことを条件として、ｎおよびｍは互いに独立して０〜６の整数である）
で構成される１つ以上のフッ素化ビスオレフィンモノマーと、
から得られる、フルオロポリマー。
【請求項２】
フルオロポリマーを調製するための方法であって、
式（Ｉ）、（ＩＩ）、および／または（ＩＩＩ）に従う１つ以上のフッ素化ビスオレフィンモノマーの存在下で１つ以上のフッ素化モノオレフィンモノマーを重合する工程を含む、方法。
【請求項３】
請求項１に記載のフルオロポリマーを含有する物品であって、押出成形物品、ブロー成形物品、または射出成形物品からなる群から選択される、物品。
【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
エピクロロヒドリン組成物を含み、かつフルオロエラストマー組成物を実質的に含まないエラストマー組成物と；
強化等級カーボンブラック及びシリカを含む充填剤材料と；
過酸化物硬化剤と、を含む組成物。
【請求項２】
（ａ）エピクロロヒドリン組成物を含み、かつフルオロエラストマー組成物を実質的に含まない、エラストマー組成物を提供する工程と；
（ｂ）強化等級カーボンブラックを含む充填剤材料を提供する工程と；
（ｃ）過酸化物硬化剤を提供する工程と；
（ｄ）前記エラストマー組成物、前記充填剤材料、及び前記過酸化物硬化剤を混合して、ブレンド組成物を形成する工程と、
（ｅ）前記ブレンド組成物を硬化させて、管状常温収縮性材料を形成する工程と；
（ｆ）管状常温収縮性材料の内側に取り外し可能コアを組み込んで、前記常温収縮性材料を膨張状態に支持する工程と、を含む使用方法。
【請求項３】
エピクロロヒドリン組成物を含み、かつフルオロエラストマー組成物を実質的に含まないエラストマー組成物と；
強化等級カーボンブラックを含む充填剤材料と；
過酸化物硬化剤と、
を含む管状常温収縮性材料を含む製造物品。
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
熱硬化性組成物を硬化させる方法であって：
エポキシレジン、エポキシ反応性化合物および触媒を含む硬化性組成物であってストイキオメトリー的に過剰なエポキシレジンが存在する硬化性組成物を反応させて、未反応エポキシ基および２級水酸基を有する中間生成物を形成すること；
未反応エポキシ基および２級水酸基の少なくとも一部を触媒により触媒してエーテル化して熱硬化性組成物を形成すること；
を含む、方法。
【請求項２】
反応が、エポキシレジンをエポキシ反応性化合物と反応させることを含む、請求項１に記載の方法。
【請求項３】
硬化性組成物が、１０パーセントから１０００パーセントのストイキオメトリー的に過剰なエポキシレジンを含む、請求項１または２に記載の方法。
【請求項４】
触媒がイミダゾールである、請求項１〜３のいずれかに記載の方法。
【請求項５】
ストイキオメトリー的に過剰なエポキシレジン、エポキシ反応性化合物および触媒の反応生成物を含み、該ストイキオメトリー的に過剰なエポキシレジンが実質的に反応している、熱硬化性組成物。
【請求項６】
ＤＳＣによって測定した場合のガラス転移温度（Ｔg）が、平衡のストイキオメトリーを用いて形成される同様のエポキシレジン系組成物よりも高い、請求項５に記載の熱硬化性組成物。
【請求項７】
フィラー、ナノフィラー、界面活性剤、強化剤、および粘着付与剤のうち少なくとも１種を更に含む、請求項５または６に記載の熱硬化性組成物。
【請求項８】
破壊靱性が少なくとも１．２ＭＰａ・ｍ1/2である、請求項５〜７のいずれかに記載の熱硬化性組成物。
【請求項９】
密度が１．１８ｇ／ｃｃ未満である、請求項５〜８のいずれかに記載の熱硬化性組成物。
【請求項１０】
引張係数が、少なくとも３０００ＭＰａである、請求項５〜９のいずれかに記載の熱硬化性組成物。
【請求項１１】
コンポジットを形成する方法であって：
硬化性組成物を基材上に堆積させ、該硬化性組成物が、エポキシレジン、エポキシ反応性化合物および触媒を含み、ストイキオメトリー的に過剰なエポキシレジンが存在する硬化性組成物であること；
エポキシレジンとエポキシ反応性化合物とを反応させて、未反応エポキシ基および２級水酸基を有する中間生成物を形成すること；そして
未反応エポキシ基および２級水酸基の少なくとも一部を触媒により触媒してエーテル化して熱硬化性組成物を形成すること；
を含む、方法。
【請求項１２】
硬化性組成物が、１０パーセントから１０００パーセントのストイキオメトリー的に過剰なエポキシレジンを含む、請求項１１に記載の方法。